(57)【要約】      （修正有）【課題】気体を減圧して安全に使用する電気差込不要のソーダ製造機を提供する。【解決手段】電気差込不要のソーダ製造機１は、納置室１０及び該納置室を閉じる蓋体２０を設置する。そのうち、該蓋体には該納置室と相互に通じる排気孔２１を設置し、そこに減圧装置４０を納置する。該排気孔と該減圧装置の間には間隙５０を形成し、該減圧装置は該納置室内気体の移動を受けて該排気孔内で上下移動し納置室内の気体を減圧する。【選択図】図２
0003182777.tif 000002
【実用新案登録請求の範囲】
【請求項１】
電気差込不要のソーダ製造機において、少なくとも
納置室と、
該納置室に設置し、それが該納置室を閉じ、且つ該納置室と相互に通じる排気孔を形成し、該排気孔の傍に相対し、相互に通じる第一通孔を形成する蓋体と、
該蓋体箇所に設置し、納置室内の気体を該入気バルブユニットから入れる入気バルブユニットと、
該蓋体の排気孔箇所に設置し、該排気孔との間に間隙を形成し、該間隙下方に相対する位置には気密リングを設置し、底部は該納置室と相互に通じる気流通路を設置し、該間隙に相対する箇所には該気流通路と相互に通じる第二通孔を設置し、且つ該気流通路の末端は気流バルブを設置する減圧装置を含むことを特徴とする電気差込不要のソーダ製造機。
【請求項２】
前記減圧装置は、少なくとも、
押し蓋と、
該押し蓋下方に設置し、該気流通路は該桿体底部に位置する桿体と、
該桿体の外側に被せ、該押し蓋下方に相対する第一バネ部品を含むことを特徴とする請求項１記載の電気差込不要のソーダ製造機。
【請求項３】
前記減圧装置は、更に底台を設置し、該底台は該桿体底部に設置し、該底台には該気流通路と相互に通じる第四通孔を設置することを特徴とする請求項２記載の電気差込不要のソーダ製造機。
【請求項４】
前記気流バルブは、第二バネ部品及びボールバルブを設置し、該ボールバルブは該第二バネ部品の押圧を受け、該第四通孔上で押されることを特徴とする請求項３記載の電気差込不要のソーダ製造機。
【請求項５】
前記底台と該桿体間は、複数の相互に対応するネジ紋を設置することを特徴とする請求項３もしくは４記載の電気差込不要のソーダ製造機。
【請求項６】
前記押し蓋は、頭部及び該頭部下方に位置する環状壁を設置し、該環状壁には槽孔を成形し、該桿体最上部には停止部を成形し、それを該槽孔に掛合して固定することを特徴とする請求項２から４のうちの任意の一項記載の電気差込不要のソーダ製造機。
【請求項７】
前記減圧装置は、該間隙に相対する上方に別に気密リングを設置することを特徴とする請求項２から４のうちの任意の一項記載の電気差込不要のソーダ製造機。
【請求項８】
前記蓋体の排気孔は、更に固定チューブリングを設置し、該固定チューブリングは該減圧装置の桿体の外側に相対して被せ、該第一バネ部品下方に相対し、該固定チューブリングは該排気孔内で固定し、該固定チューブリングは第三通孔を設置し、該第三通孔は該第一通孔と相互に通じることを特徴とする請求項２から４のうちの任意の一項記載の電気差込不要のソーダ製造機。
【考案の詳細な説明】
【技術分野】
【０００１】
本考案は、電気差込不要のソーダ製造機に関するもので、特に電気差込不要のソーダ製造機内の気体を減圧して、安全に使用出来る電気差込不要のソーダ製造機に係わる。
【背景技術】
【０００２】
現在、ソーダ水供給装置は、およそ営業用の大型機、例として飲料販売機等のタイプである。この種の装置は、通常機体内に納置室及び冷凍システムを設置し、納置室にソーダ水もしくはその他飲料を貯蔵して、冷凍システムで冷凍貯蔵し、必要な時に出力管から納置室内に貯蔵したソーダ水もしくは飲料を消費者に供給する。上述の供給装置からソーダ水もしくはその他飲料を消費者に供給する他に、瓶詰めもしくは缶入り飲料で消費者が要求するものを供給する。
【考案の概要】
【考案が解決しようとする課題】
【０００３】
この種のソーダ水の供給は非常に普及しているが、以下の欠点がある。
１、    消費者は、外出して購入するという手間がかかる。もしも外出を減らそうと思えば一度に大量購入することになるが、保存するための空間が占有されることになる。仮に随時、自分で作ることが出来れば、便利性が大いに向上する。
２、    市販ソーダ水飲料は、メーカーが調節して設定されるため、消費者にとって、味、甘味程度、炭酸量等が消費者の最も良好なニーズに合うとは限らないため、選択性は有限である。
３、    瓶詰めもしくは缶入りソーダ水飲料の容器は、重複使用するのが困難である。現在、ドリンク類の消費は驚くばかりであるが、各ドリンク容器に依る環境問題は非常に大きくなっており、仮に回収作業の効率が高くてもそれを処理するための社会資本は非常に高い。
【０００４】
本考案は、現在ソーダ水飲料の需要が大きいため、一般では販売機もしくは市場での瓶詰め、缶入りのソーダ水飲料が販売されているが、上述の問題がある。拠って、家庭でソーダ水製造装置の研究、開発を行うことが求められている。
【課題を解決するための手段】
【０００５】
本考案は、納置室及び該納置室を閉じる蓋体を設置する。そのうち、該蓋体には該納置室と相互に通じる排気孔を設置し、そこに該減圧装置を納置する。該排気孔と該減圧装置の間には間隙を形成し、該減圧装置は該納置室内気体の移動を受けて該排気孔内で上下移動し、納置室内の気体を減圧することを最も主要な特徴とする。
【考案の効果】
【０００６】
本考案の電気差込不要のソーダ製造機は、電気差込不要のソーダ製造機内の気体を減圧して、安全に使用出来るという利点がある。
【図面の簡単な説明】
【０００７】
【図１】本考案の電気差込不要のソーダ製造機の実施例の構造立体図である。
【図２】本考案の電気差込不要のソーダ製造機の実施例の構造拡大断面図である。
【図３】本考案の減圧装置の実施例の構造立体図である。
【図４】本考案の減圧装置の実施例の構造分解図である。
【図５】本考案の減圧装置の部分拡大分解図である。
【図６】本考案の電気差込不要のソーダ製造機の実施例の使用断面図である。
【図７】本考案の電気差込不要のソーダ製造機の実施例の使用拡大断面図である。
【考案を実施するための形態】
【０００８】
電気差込不要のソーダ製造機内の気体を減圧して安全に使用できる電気差込不要のソーダ製造機を提供することを本考案の主な目的とする。
【０００９】
上述の目的を達成するため、本考案の電気差込不要のソーダ製造機には納置室及び該納置室を閉じる蓋体を設置する。該蓋体は更に入気バルブユニットを設置し、納置室内の気体を該入気バルブユニットから入れ、他に減圧装置は該蓋体箇所に設置する。そのうち、該蓋体は該納置室と相互に通じる排気孔を成形し、そこに該減圧装置を納置する。該排気孔と該減圧装置の間には間隙を形成し、該減圧装置は該間隙下方に相対する位置に気密リングを設置し、該蓋体の該排気孔に相対する傍には相互に通じる第一通孔を貫設し、該減圧装置の底部は該納置室と相互に通じる気流通路を設置し、該減圧装置の該間隙に相対する箇所には該気流通路と相互に通じる第二通孔を設置し、且つ該気流通路の末端には気流バルブを設置する。
【００１０】
気体が該入気バルブユニットから該納置室に入った後、気体が飽和状態になると、気体は該気流バルブを押して開き該気流通路へ入る。そして該第二通孔及び第一通孔を通って排気する。気体が排出して飽和の予定圧力に達すると、該気流バルブは閉じて気体を該納置室から該第一通孔を通って出ないようにする。
【００１１】
減圧を行いたい時、該減圧装置を下向きに押し、該減圧装置を下へ移動させる。該間隙が該納置室から露出して納置室内の気体が該間隙を通じて該第一通孔から出て納置室内気体を減圧する。
【００１２】
上述の問題を達成するため，本考案の減圧装置は、少なくとも押し蓋、桿体及び第一バネ部品を含む。該桿体は該押し蓋下方に設置し、該気流通路は該桿体底部に位置し、更に該第一バネ部品は該桿体の外側に被せ、該押し蓋下方に相対する。
【００１３】
上述の問題を達成するため，本考案の減圧装置は、更に底台を設置し、該底台は該桿体底部に設置し、該底台は該気流通路と相互に通じる第四通孔を設置する。
【００１４】
上述の問題を達成するため，本考案の気流バルブは、第二バネ部品及びボールバルブを設置し、該ボールバルブは該第二バネ部品の押圧を受け、該第四通孔を押圧する。
【００１５】
上述の問題を達成するため，本考案の底台と該桿体間には複数の相互に対応するネジ紋を設置する。
【００１６】
上述の問題を達成するため，本考案の押し蓋は、頭部及び該頭部下方に位置する環状壁を設置する。該環状壁は槽孔を設置し、該桿体の最上部は停止部を設置し、それを該槽孔に掛合して固定する。
【００１７】
上述の問題を達成するため，本考案の減圧装置の該間隙に相対する上方には更に別に気密リングを設置する。
【００１８】
上述の問題を達成するため，本考案の蓋体の排気孔は、更に固定チューブリングを設置し、該固定チューブリングは該減圧装置の桿体の外側に被せ、該第一バネ部品下方に相対し、該固定チューブリングは該排気孔内に固定し、該固定チューブリングは第三通孔を設置し、該第三通孔は該第一通孔と相互に通じる。
【実施例】
【００１９】
本考案の特徴を図と共に、実施例を挙げて詳細に説明する。
【００２０】
図１に示す本考案の電気差込不要のソーダ製造機の一実施例の構造立体図、及び図２に示す本考案の電気差込不要のソーダ製造機の一実施例の構造断面図に示すとおり、該電気差込不要のソーダ製造機１には、納置室１０及び該納置室１０を閉じる蓋体２０を設置する。該蓋体２０は入気バルブユニット３０を設置し、納置室１０内の気体を該入気バルブユニット３０から入れ、他に減圧装置４０は該蓋体２０箇所に設置する。
【００２１】
該蓋体２０には該納置室１０と相互に通じる排気孔２１を設置し、そこに該減圧装置４０を設置する。該蓋体２０の該排気孔２１に相対する傍には相互に通じる第一通孔２２を設置し、該排気孔２１と該減圧装置４０間は間隙５０を形成する。該減圧装置４０の該間隙５０に相対する下方には気密リング４７を設置する。該減圧装置４０底部には、該納置室１０と相互に通じる気流通路４１を設置し、該減圧装置４０の該間隙５０に相対する箇所には該気流通路４１と相互に通じる第二通孔４２を設置する。更に該気流通路４１末端には気流バルブ４６を設置し、図に示す実施例に於いて、該気流バルブ４６には第二バネ部品４６１及びボールバルブ４６２を設置する。
【００２２】
そのうち、図３から図５に示すとおり、該減圧装置４０は、少なくとも押し蓋４３、桿体４４及び第一バネ部品４５を含む。該桿体４４には該押し蓋４３下方に設置し、該気流通路４１は該桿体４４底部に位置し、該第一バネ部品４５は該桿体４４外側に被せ、該押し蓋４３下方に相対する。 
【００２３】
全体を組み立てる時、該押し蓋４３には頭部４３１及び該頭部４３１下方に位置する環状壁４３２を設置する。該環状壁４３２は槽孔４３３を成形し、該桿体４４の最上部には停止部４４１を設置し、それを該槽孔４３３内に掛合固定し、該桿体４４を該押し蓋４３下方に固定する。更に該第一バネ部品４５を該桿体４４外に被せ、減圧装置４０の組立を完成する。次に組立を終えた減圧装置４０を該排気孔２１内に設置し、該排気孔２１内には減圧装置４０を固定するための固定壁２１１を設置する。そのうち、該蓋体の排気孔２１内には更に固定チューブリング６０を設置し、該固定チューブリング６０は該桿体４４外に被せて設置し、該第一バネ部品４５下方に相対し、該固定チューブリング６０は第一バネ部品４５を該押し蓋の頭部４３１及び該固定壁２１１の間で制限する。また該固定チューブリング６０は第三通孔６１を穿設し、該第三通孔６１は該第一通孔２２と相互に通じる。その他、該減圧装置には該間隙５０上方に相対し、更に気密リング４７を設置する。
【００２４】
更に、該減圧装置４０には底台４８を設置する。該底台４８は、該桿体４４底部に設置し、該底台４８と該桿体４４の間にはそれぞれ複数の相互に対応するネジ紋４８１、４４２を設置し、該底台４８と該桿体４４を相互に螺合して固定する。該底台４８の底部には第四通孔４８２を設置し、該第四通孔４８２は該気流通路４１と相互に通じ、該気流バルブのボールバルブ４６２は該第二バネ部品４６１の押圧を受けて該第四通孔４８２上を押さえる。
【００２５】
ソーダ水製造機を使用する時、図２に示すとおり、気体は該入気バルブユニット３０から該納置室１０へ入った後、もしも気体が入りすぎて飽和状態となった場合、気体が該第四通孔４８２から該ボールバルブ４６２を押して該気流バルブ４６を開き、該気流通路４１を進み、該第二通孔４２、第三通孔６１及び第一通孔２２を通過して排気する。気体が排出して飽和の予定圧力に達すると、該ボールバルブ４６２が下降して該気流バルブ４６を閉じ、該第四通孔４８２を封鎖し、気体が該納置室１０から該第一通孔２２を経て出なくなる。
【００２６】
減圧したい時、該減圧装置の押し蓋の頭部４３１を図６及び図７のように押し、該減圧装置の押し蓋４３を桿体４４と共に下方向へ移動させ、該間隙５０を該納置室１０から露出させ、納置室１０内の気体を該間隙５０から該第三通孔６１及び第一通孔２２を通って排出し、納置室１０内の気体を減圧する効果を達成する。
【００２７】
更に該底台４８と該桿体４４の相互螺合の程度を制御して，該ボールバルブ４６２の該第四通孔４８２上を押さえる締め具合を調節し、気体が該第四通孔４８を通過して該気流通路４１の流量を調節する。
【００２８】
上述のとおり、本考案は電気差込不要のソーダ製造機を提供し、実用新案を申請する。本考案の技術内容及び技術的特徴は上述のとおりであるが、当領域に習熟した者が、本考案の提示する各種の本考案の考案精神から乖離しない入替え及び修飾を提示するかもしれない。拠って本考案の請求範囲は、実施例に制限されず、本考案から乖離しない各種入替え及び修飾も請求範囲に含まれるものとする。
【符号の説明】
【００２９】
１        電気差込不要のソーダ製造機
１０      納置室
２０      蓋体
２１      排気孔
２１１    固定壁
２２      第一通孔
３０      入気バルブユニット
４０      減圧装置
４１      気流通路
４２      第二通孔
４３      押し蓋
４３１    頭部
４３２    環状壁
４３３    槽孔
４４      桿体
４４１    停止部
４４２    ネジ紋
４５      第一バネ部品
４６      気流バルブ
４６１    第二バネ部品
４６２    ボールバルブ
４７      気密リング
４８      底台
４８１    ネジ紋
４８２    第四通孔
５０      間隙
６０      固定チューブリング
６１      第三通孔
【図１】
0003182777.tif 000003
【図２】
0003182777.tif 000004
【図３】
0003182777.tif 000005
【図４】
0003182777.tif 000006
【図５】
0003182777.tif 000007
【図６】
0003182777.tif 000008
【図７】
0003182777.tif 000009